(57)【要約】【課題】カーテン素地の開閉に伴う左右の外観上のアンバランスを解消し、開閉時に片端から他の片端に到る全幅にわたってカーテン素地の外観が均等に変化し、カーテン素地の吊り下げられている建物の開口部を広く開閉することの出来るようにする。【解決手段】カーテン素地１７を吊り下げる一定長さの複数個のハンガー１３の端々をピン接合し、隣合うハンガー間がピン接合点Ｃ1 ・Ｄ1 ・Ｃ2 ・Ｄ2 ・Ｃ3 ・Ｄ3 ………を境にして曲折してジグザグに連続したハンガーの連鎖体を構成し、各ハンガーの両端間の中央部をランナー１５を介してカーテンレール１４に連結し、各ハンガーを走行可能にカーテンレールに吊り下げる。ハンガーは、吊桿１１の両端間の中央部と連結桿１２の両端間の中央部をピン接合してＸ字状構造にし、それらの連結桿と吊桿によってパンタグラフ１６を構成し、その吊桿や連結桿にカーテン素地を吊るすことも出来る。【選択図】図１
2005137741.tif 000002
【特許請求の範囲】
【請求項１】
（ａ）  カーテン素地（１７）を吊り下げる一定長さの複数個のハンガー（１３）の端々がピン接合され、その隣合うハンガー（１３）とハンガー（１３）の間がピン接合点（Ｃ1 ・Ｄ1 ・Ｃ2 ・Ｄ2 ・Ｃ3 ・Ｄ3 ………）を境にして折り曲げられてジグザグに連続したハンガーの連鎖体が構成されており、（ｂ）  各ハンガー（１３）の両端間の中央部がランナー（１５）を介してカーテンレール（１４）に連結されており、（ｃ）  各ハンガー（１３）が走行可能にカーテンレール（１４）に吊り下げられている遮蔽装置。
【請求項２】
（ｄ）  吊桿（１１）の両端間の中央部と連結桿（１２）の両端間の中央部がピン接合されてＸ字状を成す複数個のハンガー（１３）が、そのピン接合箇所をカーテンレール（１４）を走行するランナー（１５）に連結して、カーテンレール（１４）に吊り下げられて並んでおり、（ｅ）  その並んで隣合う一方のハンガー（１３）の連結桿（１２）の片端が他方のハンガー（１３）の吊桿（１１）の片端に、又、その一方のハンガー（１３）の吊桿（１１）の片端が他方のハンガー（１３）の連結桿（１２）の片端に各々ピン接合され、その吊り下げられて並んでいる複数個のハンガーの連結桿（１２）と吊桿（１１）がパンタグラフ（１６）を構成しており、（ｆ）  その吊桿（１１）または連結桿（１２）に、若しくは、吊桿（１１）と連結桿（１２）の双方に、カーテン素地（１７）が吊り下げられている遮蔽装置。
【請求項３】
（ｇ）  カーテンレールに吊り下げられている複数個のハンガーの中の片端のハンガー（１３）が、直接、又は、ランナー（１５）を介して、カーテンレール（１４）に連結されており、（ｈ）  カーテンレール（１４）に吊り下げられている複数個のハンガーの中の他の片端のハンガーを、直接、又は、ランナー（１５）を介して、カーテンレールの長さ方向に駆動する駆動手段を具備する前掲請求項１と請求項２に記載の遮蔽装置。
【請求項４】
支桿（３１）の両端に軸受けが設けられており、その両端の軸受け（１８）と軸受け（１８）の間に回転軸（１９）が軸支されており、その回転軸にカーテン素地の上縁が接合されており、そのカーテン素地が回転軸（１９）に巻き上げられる巻上式ロールスクリーンを構成している前掲請求項１と請求項２と請求項３に記載の遮蔽装置。
【請求項５】
支桿（３１）にカーテン素地（１４）の上縁と昇降コード（３３）の一端（４０）が接合されており、その昇降コード（３３）の他端（４１）が支桿（３１）に設けられたガイドを経由して引き出され、支桿（３１）とガイドの間で垂れ下がって続く昇降コード（３３）のＵ字状折り返し（３４）にカーテン素地（１４）の下縁（３５）が受けられており、カーテン素地（１４）が昇降コード（３３）のＵ字状折り返し（３４）によって掬い上げられるたくし上げ式ロールスクリーンを構成している前掲請求項１と請求項２と請求項３に記載の遮蔽装置。
【請求項６】
カーテン素地（１４）の上縁が支桿（３１）に接合されており、カーテン素地の片面に鉛直方向に所要の間隔をおいてガイド環（３６）が設けられており、そのガイド環（３６）に昇降コード（３３）が挿通され、その昇降コードの一端（３７）がカーテン素地（１４）の下縁部に接続されており、カーテン素地（１４）が昇降コードの他端を引いてたくし上げられるローマンシエードを構成している前掲請求項１と請求項２と請求項３に記載の遮蔽装置。
【請求項７】
カーテン素地（１４）に幅方向に一直線状に続く多数の折り目（３７）が一定間隔で付けられ、それらの折り目（３７）によってカーテン素地（１４）にジグザグに続くプリーツが付けられており、ジグザグに続く各折り目（３７）と折り目（３７）の間に貫通孔（３８）が穿設されており、それらの貫通孔（３８）が鉛直方向において一直線上に並んでおり、それらの貫通孔（３８）に一端が支桿（３１）に設けられたガイドを経由して引き出された昇降コード（３３）が挿通され、その昇降コード（３３）の他端（４０）がカーテン素地（１４）の下縁部に接続されており、カーテン素地（１４）が昇降コード（３３）によってたくし上げられるプリーツスクリーンを構成している前掲請求項１と請求項２と請求項３に記載の遮蔽装置。
【請求項８】
一端を支桿（３１）に接合したラダーコード（３９）によって多数のスラット（３０）を連結してカーテン素地（１４）が構成され、その各スラット（３０）に貫通孔が穿設されており、それらの貫通孔が鉛直方向において一直線上に並んでおり、それらの貫通孔に一端が支桿（３１）に設けられたガイドを経由して引き出された昇降コード（３３）が挿通され、その昇降コード（３３）の他端（４０）がカーテン素地（１４）の下縁部に接続されており、カーテン素地（１４）が昇降コード（３３）によってたくし上げられるベネシアンブラインドを構成している前掲請求項１と請求項２と請求項３に記載の遮蔽装置。
【発明の詳細な説明】
【技術分野】
【０００１】
本発明は、カーテン素地を吊り下げ、水平方向に移動して建物の間仕切りや窓その他の開口部を開閉するために使用される遮蔽装置に関するものである。
【背景技術】
【０００２】
複数条のカーテン素地を吊り下げ、水平方向に移動して開閉使用する遮蔽装置としては、バーチカルブラインドが公知である（例えば、特許文献１と２参照）。
【特許文献１】特開昭５０−５４１４３号公報（第１１図）
【特許文献２】特開平６−２００６８９号公報（図３）
【発明の開示】
【発明が解決しようとする課題】
【０００３】
バーチカルブラインドは、カーテンレールを走行する多数のランナーのそれぞれに幅１０ｃｍ前後のテープ状スラットを吊り下げた吊桿の中央部を連結し、その隣合う吊桿やスラットをラダーコードによって連結して構成されるカーテン素地と、そのカーテン素地を構成している全てのスラットの向きを同時に変えて開閉するスラット変向装置と、そのカーテン素地を構成している多数のランナーの中の片端のランナーを先導ランナーとしてカーテンレールの長さ方向に移動するランナー駆動装置とによって構成されている。
【０００４】
バーチカルブラインドでは、ランナーを支点とする天秤のように吊桿が支持されていて横振れし易く、その横振れを目立たないようにするため吊桿の長さは１０ｃｍ前後になっており、その吊桿の長さに合わせてスラットの幅も１０ｃｍ前後のテープ状のものになっている。又、バーチカルブラインドでは、先導ランナーが、隣合うランナー間を連結しているラダーコードの長さに相応する距離分だけ移動する度に、スラットがカーテン素地の片側から１条づつ順次引き出され、或いは、カーテン素地の片側へと１条づつ順次寄せ集められるように移動する。このように、バーチカルブラインドでは、開閉時にカーテン素地を構成している全てのスラットが同時にカーテンレールの長さ方向に移動し始めることはなく、全てのスラットが移動し終わるまでの間、カーテン素地の片側のスラットは、先導ランナーに駆動されるまで静止した待機状態におかれることになる。このためバーチカルブラインドの開閉時や半開き時には、カーテン素地の片側では複数条のスラットが寄せ集められて束ねられた状態になり、カーテン素地の他の片側ではラダーコードの長さと同じ間隔でスラットがストライプ状に並んだ状態になり、カーテン素地の左右の外観がアンバランスになる。
【０００５】
このようなアンバランスは、カーテン素地の上縁を一定間隔で襞寄せして取り付けたフックをカーテンレールを走行する多数のランナーに引っ掛けて吊るした横引きカーテンにも見られる。即ち、横引きカーテンを開く時には、移動し始めた先導ランナー側にカーテン素地が寄せ集められた襞溜まりが出来、カーテン素地の他の片側は拡布して静止した待機状態におかれ、閉める時には、移動し始めた先導ランナー側ではカーテン素地が拡布され、カーテン素地の他の片側では襞溜まりの静止した待機状態におかれる。
【０００６】
そこで本発明は、カーテンレールに吊るして開閉されるカーテン素地の開閉に伴う左右の外観上のアンバランスを解消し、その開閉時に片端から他の片端に到る全幅にわたって外観が均等に変化するようにすることを第１の目的とする。本発明の第２の目的は、カーテン素地の吊り下げられている建物の開口部を、カーテンレールの長さに相当する程度に広く開閉することの出来るようにすることである。本発明の第３の目的は、カーテン素地をカーテンレールの長さ方向に移動するとき、カーテン素地の向きが自動的に変化するようにすることである。本発明のその他の目的は、カーテン素地を部分的に開閉することが出来るようにすることである。
【課題を解決するための手段】
【０００７】
本発明に係る遮蔽装置は、（ａ）  カーテン素地１７を吊り下げる一定長さの複数個のハンガー１３の端々がピン接合され、その隣合うハンガー１３とハンガー１３の間がピン接合点Ｃ1 ・Ｄ1 ・Ｃ2 ・Ｄ2 ・Ｃ3 ・Ｄ3 ………を境にして折り曲げられてジグザグに連続したハンガーの連鎖体が構成されており、（ｂ）  各ハンガー１３の両端間の中央部がランナー１５を介してカーテンレール１４に連結されており、（ｃ）  各ハンガー１３が走行可能にカーテンレール１４に吊り下げられていることを第１の特徴とする。
【０００８】
本発明に係る遮蔽装置の第２の特徴は、（ｄ）  吊桿１１の両端間の中央部と連結桿１２の両端間の中央部がピン接合されてＸ字状を成す複数個のハンガー１３が、そのピン接合箇所をカーテンレール１４を走行するランナー１５に連結して、カーテンレール１４に吊り下げられて並んでおり、（ｅ）  その並んで隣合う一方のハンガー１３の連結桿１２の片端が他方のハンガー１３の吊桿１１の片端に、又、その一方のハンガー１３の吊桿１１の片端が他方のハンガー１３の連結桿１２の片端に各々ピン接合され、その吊り下げられて並んでいる複数個のハンガーの連結桿１２と吊桿１１がパンタグラフ１６を構成しており、（ｆ）  その吊桿１１または連結桿１２に、若しくは、吊桿１１と連結桿１２の双方に、カーテン素地１７が吊り下げられている点にある。
【０００９】
本発明に係る遮蔽装置の第３の特徴は、上記第１と第２の何れかの特徴に加えて、（ｇ）  カーテンレール１４に吊り下げられている複数個のハンガーの中の片端のハンガー１３が、直接カーテンレール１４に、又は、ランナー１５を介してカーテンレール１４に連結されており、（ｈ）  カーテンレール１４に吊り下げられている複数個のハンガーの中の他の片端のハンガーを、直接、又は、ランナー１５を介して、カーテンレールの長さ方向に駆動する駆動手段を具備する点にある。
【００１０】
本発明に係る遮蔽装置の第４の特徴は、上記第１と第２と第３の何れかの特徴に加えて、支桿３１の両端に軸受けが設けられており、その両端の軸受け１８と軸受け１８の間に回転軸１９が軸支されており、その回転軸１９にカーテン素地１４の上縁が接合されており、そのカーテン素地１４が回転軸１９に巻き上げられる巻上式ロールスクリーンを構成している点にある。
【００１１】
本発明に係る遮蔽装置の第５の特徴は、上記第１と第２と第３の何れかの特徴に加えて、支桿３１にカーテン素地１４の上縁と昇降コード３３の一端４０が接合されており、その昇降コードの他端４１が支桿３１に設けられたガイドを経由して引き出され、支桿３１とガイドの間で垂れ下がって続く昇降コード３３のＵ字状折り返し３４にカーテン素地１４の下縁３５が受けられており、カーテン素地１４が昇降コード３３のＵ字状折り返し３４によって掬い上げられるたくし上げ式ロールスクリーンを構成している点にある。
【００１２】
本発明に係る遮蔽装置の第６の特徴は、上記第１と第２と第３の何れかの特徴に加えて、カーテン素地１４の上縁が支桿３１に接合されており、カーテン素地の片面に鉛直方向に所要の間隔をおいてガイド環３６が設けられており、そのガイド環３６に昇降コード３３が挿通され、その昇降コードの一端３７がカーテン素地１４の下縁部に接続されており、カーテン素地１４が昇降コードの他端を引いてたくし上げられるローマンシエードを構成している点にある。
【００１３】
本発明に係る遮蔽装置の第７の特徴は、上記第１と第２と第３の何れかの特徴に加えて、カーテン素地１４に幅方向に一直線状に続く多数の折り目３７が一定間隔で付けられ、それらの折り目３７によってカーテン素地１４にジグザグに続くプリーツが付けられており、ジグザグに続く各折り目３７と折り目３７の間に貫通孔３８が穿設されており、それらの貫通孔３８が鉛直方向において一直線上に並んでおり、それらの貫通孔３８に一端が支桿３１に設けられたガイドを経由して引き出された昇降コード３３が挿通され、その昇降コードの他端４０がカーテン素地の下縁部に接続されており、カーテン素地１４が昇降コード３３によってたくし上げられるプリーツスクリーンを構成している点にある。
【００１４】
本発明に係る遮蔽装置の第８の特徴は、上記第１と第２と第３の何れかの特徴に加えて、一端を支桿３１に接合したラダーコード３９によって多数のスラット３０を連結してカーテン素地１４が構成され、その各スラット３０に貫通孔が穿設されており、それらの貫通孔が鉛直方向において一直線上に並んでおり、それらの貫通孔に一端が支桿３１に設けられたガイドを経由して引き出された昇降コード３３が挿通され、その昇降コード３３の他端４０がカーテン素地１４の下縁部に接続されており、カーテン素地１４が昇降コード３３によってたくし上げられるベネシアンブラインドを構成している点にある。
【発明の効果】
【００１５】
端々がピン接合され、そのピン接合点Ｃ1 ・Ｄ1 ・Ｃ2 ・Ｄ2 ・Ｃ3 ・Ｄ3 ………を境にして折り曲げられてジグザグに連続した連鎖体を構成している各ハンガー１３は剛体であり、その各ハンガー１３の両端間の中央部がランナー１５を介して連結されているカーテンレール１４も剛体であり、ハンガー１３とカーテンレール１４は、ハンガー１３の中央部がカーテンレール１４の上を摺動するリンク機構を構成している（図１と図２参照）。その複数個の各ハンガー１３の長さは一定であり、その各ハンガー１３の中点Ａ1 ・Ｂ1 ・Ａ2 ・Ｂ2 ・Ａ3 ・Ｂ3 ………がランナー１５を介してカーテンレール１４に連結されている。このため、各隣合うハンガー１３とハンガー１３とのピン接合点Ｃ（Ｄ）と、その隣合う各ハンガー１３・１３とカーテンレール１４との接合点Ａ・Ｂを結んで特定される三角形ＡＢＣ（ＡＢＤ）は、二等辺三角形であり、先導ランナーが移動してピン接合点Ｃ（Ｄ）において交わるハンガー１３とハンガー１３との交叉角度γ（＝∠ＡＣＢ，∠ＡＤＢ）が変化するとしても、各ハンガー１３・１３とカーテンレール１４との交叉角度α（＝∠ＣＡＢ，∠ＤＡＢ）と交叉角度β（＝∠ＡＢＣ，∠ＡＢＤ）とは、カーテンレールと何れのハンガーによって構成される三角形ＡＢＣ・ＡＢＤ（△Ａ1 Ｃ1 Ｂ1 ，△Ｂ1 Ｄ1 Ａ2 ，△Ａ2 Ｃ2 Ｂ2 ，△Ｂ2 Ｄ2 Ａ3 ，△Ａ3 Ｃ3 Ｂ3 ，△Ｂ3 Ｄ3 Ａ4 ，………）においても等しくなり、何れの二等辺三角形ＡＢＣ・ＡＢＤも合同になり、それらの二等辺三角形ＡＢＣ・ＡＢＤの底辺ＡＢ・ＢＡは全て等しくなる（Ａ1 Ｂ1 ＝Ｂ1 Ａ2 ＝Ａ2 Ｂ2 ＝Ｂ2 Ａ3 ＝Ａ3 Ｂ3 ＝Ｂ3 Ａ4 ＝………）。
【００１６】
従って、それらの二等辺三角形ＡＢＣ・ＡＢＤの等辺を構成する各ハンガー１３にカーテン素地１７を吊り下げて構成される遮蔽装置では、その左右に開閉に伴う外観上のアンバランスが生じることがなく、その片端から他の片端に到る全幅にわたる外観が開閉に伴って均等に変化することになる。そして、カーテンレールに吊り下げられている複数個のハンガーの中の片端のハンガー１３を、直接、又は、ランナー１５を介して、カーテンレール１４に連結し、カーテンレール１４に吊り下げられている複数個のハンガーの中の他の片端のハンガーを駆動手段によって、直接、又は、ランナー１５を介して、カーテンレールの長さ方向に駆動すると、建物の開口部のガラス戸を開閉するようにカーテン素地を開閉することが出来、その開いた状態において、カーテンレール１４に直交する側壁面に畳み合わせるようにカーテン素地１７がカーテンレールの片端側に寄せ集められるので、遮蔽装置の設置される建物の開口部をカーテンレール１４の長さに相当する程度に開放することが出来、その開閉に伴ってカーテン素地の向きがハンガー１３と共にカーテンレール１４に対して自動的に９０度変化するので、外観上新規な遮蔽装置が得られる。
【００１７】
複数個の各ハンガー１３を、吊桿１１の両端間の中央部と連結桿１２の両端間の中央部をピン接合したＸ字状構造に構成し、そのピン接合箇所をカーテンレール１４を走行するランナー１５（Ａ）に連結して、カーテンレール１４に吊り下げて並べ、その並んで隣合う一方のハンガー１３の連結桿１２の片端を他方のハンガー１３の吊桿１１の片端に、又、その一方のハンガー１３の吊桿１１の片端を他方のハンガー１３の連結桿１２の片端にそれぞれピン接合し、その吊り下げられて並んでいる複数個のハンガーの連結桿１２と吊桿１１によってパンタグラフ１６を構成するときは、カーテンレール１４とランナー１５（Ａ）との間に製作精度上の隙間（ダカ）や摩耗による隙間（ダカ）が生じても、各ランナー間の距離（Ａ1 Ｂ1 ＝Ｂ1 Ａ2 ＝Ａ2 Ｂ2 ＝Ｂ2 Ａ3 ＝Ａ3 Ｂ3 ＝Ｂ3 Ａ4 ＝………）が常に一定に保たれ、その各吊桿１１または各連結桿１２に、若しくは、各吊桿１１と各連結桿１２の双方に吊り下げられたカーテン素地１７の外観は、遮蔽装置の端から端まで綺麗に揃うことになる。
【００１８】
そして、カーテン素地１７に、巻上式ロールスクリーン、たくし上げ式ロールスクリーン、ローマンシエード（図９）、プリーツスクリーン、或いは、ベネシアンブラインドを適用するとき（図７〜図１１）、その閉じられて建物の開口部に平行に並んだ複数枚の中の一部のカーテン素地１７を昇降操作して部分的に開閉し、建物の開口部に取り付けられている複数枚の中の一部のガラス戸を開けて室内換気をすることも出来、その一部のガラス戸の開閉操作がカーテン素地１７によって格別妨げられることがなく、複数枚のカーテン素地１７・１７………によって仕切られた建物の開口部に、カーテン素地１７に妨げられることなく通路を仮設することも出来る。従って、本発明の遮蔽装置は、複数枚のガラス戸が嵌め込まれた建物の広い開口部に設置する上で頗る好都合である。
【発明を実施するための最良の形態】
【００１９】
カーテン素地１７は、ピン接合点Ｃ1 ・Ｄ1 ・Ｃ2 ・Ｄ2 ・Ｃ3 ・Ｄ3 ………を境にして折り曲げられてジグザグに連続した連鎖体を構成している各ハンガー１３に連続させて吊るすことも出来る（図１・図２）。パンタグラフ１６を構成するハンガー１３では、連結桿１２が吊桿１１の上に重なり、それらをピン接合するピン２０を支点として連結桿１２と吊桿１１がそれぞれ天秤のように水平に支持され、且つ、ピン２０を中心に連結桿１２と吊桿１１が水平方向に回転可能に支持されるようにし、ピン２０の上端にはランナー１５に連結するためのリングやフック２１等を設け、カーテン素地１７は連結桿１２の下側の吊桿１１に取り付けるとよい。吊桿１１に取り付けるカーテン素地１７の幅は吊桿１１の全長と略同じにする（図５と図６）。吊桿の他に連結桿にもカーテン素地を取り付ける場合には、その幅を連結桿の全長の約半分にし、ピンを境に連結桿の左右に分けて取り付ける（図３）。連結桿と吊桿の全長と略同じ幅のカーテン素地は、それを二つ折にし、その折り目をピンに位置合わせし、ピンを通る鉛直線を境に折り返して連結桿の片端側から吊桿の片端側へと連続させて取り付けることも出来る。図２には、ジグザグに連続した連鎖体を構成している各ハンガー１３に合わせて、連結桿１２が吊桿１１の構成する仮想パンタグラフ１６を二点破線で図示している。
【００２０】
ランナー１５とピン２０は一体を成すものであってもよい。即ち、ランナー１５の下端にピン２０を突設することも出来る。その場合、ランナー１５とピン２０を連結するためのリングやフック２１は不要となる。隣合うハンガーの連結桿１２の片端と吊桿１１の片端は、軸芯を鉛直方向に向けたピン２２によってピン接合される（図３）。カーテンレールに吊り下げられた片端のハンガー１３とカーテンレール１４は、鎖や紐等の可撓な線条２３で連結される（図３）。他の片端のハンガー１３をカーテンレールの長さ方向に駆動するには、その連結されているランナー１５を先導ランナーとして公知の駆動手段、例えばリニアモーターによって先導ランナーを駆動し、或いは、先導ランナーに小型モーターを組み込む等の方法もある。しかし、簡便且つ経済的に本発明を実施するためには、カーテンレールの前後両端側にガイド２４を設け、それらのガイド２４によって折り返されるエンドレス状の線条２５をカーテンレールに沿って配置し、その線条２５を先導ランナー１５に接合し、片端のガイド２４から垂れ下がる線条２５の端末２６を引いて先導ランナー１５を駆動操作するとよい（図３）。そうすると、その操作によって連結桿１２と吊桿１１に構成されるパンタグラフ１６がカーテンレール１４の長さ方向に伸縮変形し、その変形に伴って吊桿１１とカーテンレール１４との交叉角度θが略９０度変化してカーテン素地１７の向きが変わり、パンタグラフ１６の圧縮状態では全てのカーテン素地１７がカーテンレール１４に直交する方向に平行に揃い、カーテンレール１４の片端に寄せ集められてカーテンを開いた状態になる。図５は、その吊桿１１とカーテンレール１４との交叉角度θが変化する過程を図示するものである。かくして、パンタグラフ１６が伸長して吊桿１１がカーテンレール１４に平行に一直線状に並んだ状態では、全てのカーテン素地１７がカーテンレール１４に平行に揃ってカーテンを閉じた状態になる（図４）。片端のハンガー１３をカーテンレール１４に連結するのは、先導ランナー１５が移動するとき、パンタグラフ全体が伸縮変形せず、ただカーテンレール１４に沿って移動するだけのことにならないようにするためである。
【００２１】
カーテン素地の幅が吊桿の全長と略同じのものであれば、既存の、即ち一般市販の巻上式ロールスクリーン（図６・図７）、たくし上げ式ロールスクリーン、ローマンシエード、プリーツスクリーン、或いは、ベネシアンブラインドをハンガー１３に取り付け、そのカーテン素地がハンガー１３と一体的に開閉操作されると共に、必要に応じて一部のカーテン素地を昇降操作し、遮蔽装置の一部を開閉操作することも可能になる（図６）。従って、カーテン素地を吊り下げるハンガー１３（吊桿１１）の全長（横幅）は、既存の巻上式ロールスクリーン、たくし上げ式ロールスクリーン、ローマンシエード、プリーツスクリーン、或いは、ベネシアンブラインドのカーテン素地１７の幅と同様に４０〜１２０ｃｍにするとよい。そうすると、巻上式ロールスクリーン、たくし上げ式ロールスクリーン、ローマンシエード、プリーツスクリーン、或いは、ベネシアンブラインドを適用せず、布帛や簾等を垂れ幕のように吊桿に吊り下げるときでも、その表面の向きが開閉過程で変化する新規な遮蔽装置が得られる。本発明は、ハンガー１３（吊桿１１）の全長（横幅）を１０〜２０ｃｍにしてバーチカルブラインドに適用することも出来る。カーテン素地１７の下縁には適宜ウエイト（重り）４２が取り付けられる（図７〜図１１）。
【００２２】
図８に図示する遮蔽装置では、ハンガー１３に吊り下げた支桿３１の両端に軸受けが設けられており、その両端の軸受けと軸受けの間に回転軸３２が軸支されており、支桿３１にカーテン素地１４の上縁と昇降コード３３の一端４０が接合されており、その昇降コード３３の他端４１が回転軸３２に接合されており、支桿３１と回転軸３２の間で垂れ下がって続く昇降コード３３のＵ字状折り返し３４にカーテン素地１４の下縁３５が受けられており、カーテン素地１４が昇降コード３３のＵ字状折り返し３４によって掬い上げられるたくし上げ式ロールスクリーンを構成している。
【００２３】
図９に図示する遮蔽装置では、ハンガー１３に吊り下げた支桿３１の両端に軸受けが設けられており、その両端の軸受けと軸受けの間に回転軸３２が軸支されており、カーテン素地１４の上縁が支桿３１に接合されており、カーテン素地１４の片面に鉛直方向に所要の間隔をおいてガイド環３６が設けられており、そのガイド環３６に昇降コード３３が挿通され、その昇降コード３３の一端４０がカーテン素地１４の下縁部に接続されており、その昇降コード３３の上端が回転軸３２に接合されており、カーテン素地１４が昇降コード３３によってたくし上げられるローマンシエードを構成している。
【００２４】
図１０に図示する遮蔽装置では、ハンガー１３に吊り下げた支桿３１の両端に軸受けが設けられており、その両端の軸受けと軸受けの間に回転軸３２が軸支されており、カーテン素地１４に幅方向に一直線状に続く多数の折り目３７が一定間隔で付けられ、それらの折り目３７によってカーテン素地１４にジグザグに続くプリーツが付けられており、ジグザグに続く各折り目３７と折り目３７の間に貫通孔３８が穿設されており、それらの貫通孔３８が鉛直方向において一直線上に並んでおり、それらの貫通孔３８に回転軸３２に一端が接合された昇降コード３３が挿通され、その昇降コード３３の他端４０がカーテン素地１４の下縁部に接続されており、カーテン素地１４が昇降コード３３によってたくし上げられるプリーツスクリーンを構成している。
【００２５】
図１１に図示する遮蔽装置では、ハンガー１３に吊り下げた支桿３１の両端に軸受けが設けられており、その両端の軸受けと軸受けの間に回転軸３２が軸支されており、一端を支桿３１に接合したラダーコード３９によって多数のスラット３０を連結してカーテン素地１４が構成され、その各スラット３０に貫通孔が穿設されており、それらの貫通孔が鉛直方向において一直線上に並んでおり、それらの貫通孔に回転軸３２に一端が接合された昇降コード３３が挿通され、その昇降コード３３の他端４０がカーテン素地１４の下縁部に接続されており、カーテン素地１４が昇降コード３３によってたくし上げられるベネシアンブラインドを構成している。
【図面の簡単な説明】
【００２６】
【図１】本発明に係る遮蔽装置の要部斜視図である。
【図２】本発明に係る遮蔽装置の平面図である。
【図３】本発明に係る遮蔽装置の要部斜視図である。
【図４】本発明に係る遮蔽装置の正面図である。
【図５】本発明に係る遮蔽装置の斜視図である。
【図６】本発明に係る遮蔽装置の斜視図である。
【図７】本発明に係る遮蔽装置の側面図である。
【図８】本発明に係る遮蔽装置の側面図である。
【図９】本発明に係る遮蔽装置の側面図である。
【図１０】本発明に係る遮蔽装置の側面図である。
【図１１】本発明に係る遮蔽装置の側面図である。
【符号の説明】
【００２７】
１１：吊桿
１２：連結桿
１３：ハンガー
１４：カーテンレール
１５・Ａ・Ｂ：ランナー
１６：パンタグラフ
１７：カーテン素地
１８：軸受け
１９：回転軸
２０：ピン
２１：フック
２２・Ｃ・Ｄ：ピン
２３：線条
２４：ガイド
２５：線条
２６：端末
３０：スラット
３１：支桿
３３：昇降コード
３４：折り返し
３５：カーテン素地の下縁
３６：ガイド環
３７：折り目
３８：貫通孔
３９：ラダーコード
４０：昇降コードの端
４１：昇降コードの端
４２：ウエイト
α・β・γ・θ：交叉角度
【図１】
2005137741.tif 000003
【図２】
2005137741.tif 000004
【図３】
2005137741.tif 000005
【図４】
2005137741.tif 000006
【図５】
2005137741.tif 000007
【図６】
2005137741.tif 000008
【図７】
2005137741.tif 000009
【図８】
2005137741.tif 000010
【図９】
2005137741.tif 000011
【図１０】
2005137741.tif 000012
【図１１】
2005137741.tif 000013